(57)【要約】【課題】原稿台に載置された見開き原稿を良好な画像で読み取ることのできる画像読取装置を提供する。【解決手段】複写機は、ブックスキャンモードが選択され（Ｓ１０１；Ｙｅｓ）、原稿（ブック原稿）がセットされてスタートボタンが押下されると（Ｓ１０３／Ｓ１０４）、原稿の画像を読み取って（Ｓ１０５）、一時保存する（Ｓ１０６）。この読み取り画像の劣化となる影を濃度過多領域として検出し（Ｓ１０８）、濃度過多領域の幅が閾値よりも小さいか否か（劣化が許容条件を満たすか否か）を判断する（Ｓ１０９）。否定判定の場合は（Ｓ１０９；Ｎｏ）、画像の読み取りおよび一時保存を繰り返す。肯定判定になると（Ｓ１０９；Ｙｅｓ）、その読み取り画像を取得する（Ｓ１１２）。【選択図】図７
2010268245.tif 000002
【特許請求の範囲】
【請求項１】
見開き原稿が伏せて載置される原稿台と、
前記原稿台上の見開き原稿を読み取る読取部と、
前記読取部によって前記見開き原稿を繰り返し読み取らせ、読み取った画像の中から、前記見開き原稿における前記原稿台からの浮き上がり部分に対応して前記画像に発生する劣化が許容条件を満たす画像を取得する制御部と、
を備えた画像読取装置。
【請求項２】
前記制御部は、画像濃度が所定の基準濃度よりも濃い濃度過多領域における前記見開き原稿の見開き方向に沿った幅が、所定の閾値よりも小さい場合に、前記劣化が許容条件を満たしていると判断する
ことを特徴とする請求項１に記載の画像読取装置。
【請求項３】
前記制御部は、前記濃度過多領域における長さ方向の複数箇所で検出した前記幅が全て前記所定の閾値よりも小さい場合に、前記許容条件を満たしていると判断する
ことを特徴とする請求項２に記載の画像読取装置。
【請求項４】
前記読取部は、エリアセンサである
ことを特徴とする請求項１〜３のいずれか１項に記載の画像読取装置。
【請求項５】
前記許容条件を設定する設定部を有する
ことを特徴とする請求項１〜４のいずれか１項に記載の画像読取装置。
【発明の詳細な説明】
【技術分野】
【０００１】
本発明は、原稿台に載置された原稿を読み取ってその画像を取得する画像読取装置に関する。
【背景技術】
【０００２】
スキャナ機や複写機などで厚みのある本や冊子などの見開き原稿をスキャンする場合は、スキャンするページを開いてプラテンガラス上に伏せた原稿を浮き上がらないように両手でしっかり押さえ付ける必要があるが、スタートボタンを押すために片手を離すと原稿の押さえ付けが弱くなって良好なスキャン画像が得られなくなることがある。
【０００３】
このような問題を解決するために、たとえば、スタートボタンを押さなくてもプラテンガラス上に載置した原稿を押さえ付けるだけで、プラテンガラスに所定量以上の力が加わったことを検知し自動的にスキャン動作を開始するようにした技術がある（特許文献１参照）。
【先行技術文献】
【特許文献】
【０００４】
【特許文献１】特開平１０−２６８７０８号公報
【発明の概要】
【発明が解決しようとする課題】
【０００５】
一般的に本や冊子などは、厚さや開くページの箇所（端のページか中ごろのページか）などによって綴じ目の開き易さが異なり、開き難い場合はプラテンガラス上に伏せた際に綴じ目部分（ページ間の境界部分）の浮き上がりが大きくなる。この浮き上がりの大きい状態でスキャンを行うと、スキャン画像におけるページ間の境界部分に発生する劣化が大きくなる。
【０００６】
たとえば、ページ間の境界部分に発生する帯状の影が大きくなり、その影が目立ってスキャン画像の見栄えが悪くなったり、その影がページ境界付近の文字に重なって見難くなったりすることがある。また、ページ境界付近の画像の歪みが大きくなったり、ページ境界付近の文字にボケや歪みが発生したりすることもある。そのため、綴じ目が開き難く浮き上がりの大きくなり易い厚みのある本などで、これらの劣化の少ない良好なスキャン画像を得るには、上述したように両手で強く押さえ付けて浮き上がりを抑える必要がある。
【０００７】
このような綴じ目の開き難い厚い本などに対し、特許文献１の技術では良好なスキャン画像を得られない可能性がある。この技術では、プラテンガラスに加わる力を検知してスキャン動作の開始を制御するため、厚い本などを強く押え付けようとしても、その途中でプラテンガラスに所定量以上の力が加わるとスキャン動作が開始されてしまい、劣化の少ない良好なスキャン画像を得られない可能性がある。
【０００８】
本発明は、上記の問題を解決しようとするものであり、原稿台に載置された見開き原稿を良好な画像で読み取ることのできる画像読取装置を提供することを目的としている。
【課題を解決するための手段】
【０００９】
かかる目的を達成するための本発明の要旨とするところは、次の各項の発明に存する。
【００１０】
［１］見開き原稿が伏せて載置される原稿台と、
前記原稿台上の見開き原稿を読み取る読取部と、
前記読取部によって前記見開き原稿を繰り返し読み取らせ、読み取った画像の中から、前記見開き原稿における前記原稿台からの浮き上がり部分に対応して前記画像に発生する劣化が許容条件を満たす画像を取得する制御部と、
を備えた画像読取装置。
【００１１】
上記発明では、読み取るページが開かれて原稿台上に伏せて載置された見開き原稿を読取部によって繰り返し読み取る。見開き原稿は、開いたページ間の境界部分が原稿台から浮き上がり易く、浮き上がりが生じると読み取られた画像（読み取り画像）にはその浮き上がり部分と対応する部分に影などの劣化が発生する。この劣化は、見開き原稿を原稿台に押さえ付ける力（押付力）を大きくし、浮き上がり部分を小さくすることで縮小できる。
【００１２】
このように、浮き上がりの押さえ方によって読み取り画像の劣化の程度が変わる見開き原稿に対し、制御部は、繰り返し読み取られている画像の良否（劣化が許容条件を満たすか否か）を判別して、劣化の少ない良好な画像を自動取得する。これにより、読み取り実行のスイッチ操作などを行うことなく両手で原稿を押さえるだけで、原稿の厚さや開き易さなどに係らず良好な画像を取得できる。
【００１３】
［２］前記制御部は、画像濃度が所定の基準濃度よりも濃い濃度過多領域における前記見開き原稿の見開き方向に沿った幅が、所定の閾値よりも小さい場合に、前記劣化が許容条件を満たしていると判断する
ことを特徴とする［１］に記載の画像読取装置。
【００１４】
上記発明では、見開き原稿の読み取り画像における劣化の程度を、見開き原稿の浮き上がり部分に対応して発生する濃度過多領域（画像濃度が所定の基準濃度よりも濃い領域）の幅で判断し、繰り返し読み取った見開き原稿の画像の中から濃度過多領域の幅（見開き原稿の見開き方向に沿った幅）が所定の閾値よりも小さい画像を良好な画像として取得する。これにより、濃度過多領域が目立たない見栄えのよい画像や、ページ境界付近の文字などに濃度過多領域が重なっていない見易い画像を取得できる。
【００１５】
［３］前記制御部は、前記濃度過多領域における長さ方向の複数箇所で検出した前記幅が全て前記所定の閾値よりも小さい場合に、前記許容条件を満たしていると判断する
ことを特徴とする［２］に記載の画像読取装置。
【００１６】
見開き原稿のページ境界に沿った方向における一方側と他方側で押付力に差がある場合、押付力の小さい側は浮き上がり部分が大きくなり、濃度過多領域の幅が大きくなる。上記発明では、濃度過多領域における長さ方向（ページ境界に沿った方向）の複数箇所でその幅を検出し、この複数箇所の幅が全て所定の閾値よりも小さいことを劣化の許容条件とすることで、より良好な読み取り画像を取得できる。
【００１７】
［４］前記読取部は、エリアセンサである
ことを特徴とする［１］〜［３］のいずれか１項に記載の画像読取装置。
【００１８】
上記発明では、見開き原稿をエリアセンサによって一時に二次元で読み取ることにより、繰り返しの読み取りにおいても、ラインセンサによる走査読み取りなどに比べて高速に読み取ることができる。
【００１９】
［５］前記許容条件を設定する設定部を有する
ことを特徴とする［１］〜［４］のいずれか１項に記載の画像読取装置。
【００２０】
上記発明では、見開き原稿の読み取りを行うユーザなどが自分の希望する劣化の許容条件を任意に設定することができて利便性が向上する。
【発明の効果】
【００２１】
本発明の画像読取装置によれば、原稿台に載置された見開き原稿を良好な画像で読み取ることができるようになる。
【図面の簡単な説明】
【００２２】
【図１】本発明の一実施形態に係る画像読取装置としての複写機の概略構成を示すブロック図である。
【図２】本発明の一実施形態に係るスキャナ部における要部の構成を示す図である。
【図３】本発明の一実施形態に係る複写機で、ブック原稿を押さえ付け力の小さい状態で読み取った場合の読み取り画像の一例を示す図である。
【図４】図３の読み取り画像に対応する濃度分布のグラフを示す図である。
【図５】本発明の一実施形態に係る複写機で、ブック原稿を押さえ付け力の大きい状態で読み取った場合の読み取り画像の一例を示す図である。
【図６】図５の読み取り画像に対応する濃度分布のグラフを示す図である。
【図７】本発明の一実施形態に係る複写機による読取動作を示す流れ図である。
【図８】本発明の一実施形態に係る複写機で、ブック原稿を押さえ付け力に偏りのある状態で読み取った場合の読み取り画像の一例を示す図である。
【発明を実施するための形態】
【００２３】
以下、図面に基づき本発明の実施形態を説明する。
【００２４】
図１は、本発明の一実施形態に係る画像読取装置としての複写機１０の概略構成を示すブロック図である。
【００２５】
複写機１０は、原稿を光学的に読み取ってその複製画像を記録紙に印刷して出力するコピー機能、読み取った原稿の画像データをファイルにして保存したりパーソナルコンピュータなどの外部端末へ送信したりするスキャン機能（読取機能）などを備えている。コピー機能およびスキャン機能には、主に紙原稿（シート原稿）などの読み取りに対応した通常スキャンモードと、本や冊子などの見開き原稿（ブック原稿）の読み取りに対応したブックスキャンモードとが設けられている。複写機１０は、これらのモードでコピーやスキャンを行う場合に、読み取り対象の原稿を載置するためのプラテンガラスを備えている。
【００２６】
見開き原稿は、読み取るページが開かれ、プラテンガラス上に伏せて載置された状態で読み取りが行われる。この載置状態で、見開き原稿におけるページ間の境界部分がプラテンガラスから浮き上がると、読み取られた画像にはその浮き上がり部分と対応する部分に劣化が発生する。この劣化の大小は、見開き原稿のプラテンガラスへの押し付け方によって変化する。そこで、ブックスキャンモードでは、プラテンガラス上の見開き原稿を繰り返し読み取り、その読み取った画像の中から劣化が許容条件を満たす画像を選択的に取得するようになっている。
【００２７】
図１に示すように、複写機１０は、制御部としてのＣＰＵ（Central Processing Unit）１１に、バス１２を介してＲＯＭ１３（Read Only Memory）と、ＲＡＭ（Random Access Memory）１４と、記憶部１５と、表示部１６と、操作部１７と、スキャナ部１８と、画像処理部１９と、プリンタ部２０とを接続して構成される。
【００２８】
ＣＰＵ１１は、ＲＯＭ１３に格納されているプログラムに基づいて複写機１０の動作を制御する。ＲＡＭ１４はＣＰＵ１１がプログラムを実行する際に各種データを一時的に格納するワークメモリとして使用されるほか、画像データを一時的に保存するための画像メモリなどにも使用される。記憶部１５は、ハードディスク装置（Hard Disk Drive；ＨＤＤ）などで構成され、各種の保存データなどを格納するほか、原稿のスキャンやコピーにおける画像データなども保存する。
【００２９】
表示部１６は、液晶ディスプレイなどで構成され、操作画面、設定画面、案内画面などの各種の画面を表示する機能を果たす。操作部１７は、モード選択ボタン、スタートボタン、ストップボタン、テンキーなどの各種のボタン類などで構成され、ユーザなどが複写機１０に対して行う各種の操作を受け付ける機能を果たす。
【００３０】
スキャナ部１８は、原稿を光学的に読み取って画像データを取得する機能を果たす。図２に示すように、スキャナ部１８は、読み取り対象の原稿が載置される原稿台としてのプラテンガラス３０と、プラテンガラス３０上の原稿を下方から照明する光源３１と、プラテンガラス３０上の原稿を読み取る読取部としてのエリアセンサ３２などを備えて構成されている。
【００３１】
エリアセンサ３２は、たとえば、複数の受光素子が縦および横の二方向（二次元）に配列され、原稿からの反射光をその複数の受光素子で受光して原稿の画像を二次元で読み取る撮像素子（二次元イメージセンサ）で構成されている。このエリアセンサ３２は、プラテンガラス３０の中央の真下などに配置されている。光源３１は、プラテンガラス３０上の原稿の全領域をほぼ均等に照明できるように複数設けられている。たとえば、エリアセンサ３２による読み取りの妨げにならない周辺位置で、かつ、エリアセンサ３２を中心とした対象位置などに配置されている。図２に示すように、たとえば、２つの光源３１がエリアセンサ３２の左右側方における対象位置などに配置されている。
【００３２】
画像処理部１９は画像データに対して、画像補正、回転、拡大／縮小、圧縮／伸張など各種の画像処理を施す機能を果たす。
【００３３】
プリンタ部２０は、画像データに基づく画像を電子写真プロセスによって記録紙上に形成して出力する機能を果たす。プリンタ部２０は、たとえば、記録紙の搬送装置と、感光体ドラムと、帯電装置と、入力される画像データに応じて点灯制御されるＬＤ（Laser Diode）と、ＬＤから射出されたレーザ光を感光体ドラム上で走査させる走査ユニットと、現像装置と、転写分離装置と、クリーニング装置と、定着装置とを有する、いわゆるレーザープリンタとして構成されている。レーザ光に代えてＬＥＤ（Light Emitting Diode）で感光体ドラムを照射するＬＥＤプリンタのほか他の方式のプリンタであってもかまわない。
【００３４】
次に、複写機１０の動作について説明する。
【００３５】
（読み取り画像における劣化の許容性判断方法）
まず、複写機１０のブックスキャンモードで見開き原稿を読み取る場合に、その読み取り画像に発生する劣化が許容条件を満たすか否かを判断する方法について説明する。
【００３６】
見開き原稿の読み取りでは、見開き原稿をプラテンガラス上に伏せて載置した際に開かれているページ間の境界部分（綴じ目部分）がプラテンガラスから浮き上がると、この浮き上がりによって読み取り画像には劣化が生じる。たとえば、読み取り画像におけるページ間の境界部分に帯状の影が生じたり、浮き上がった部分に対応する画像に歪みが生じたり、ページ境界付近の文字にボケや歪みが生じたりする。
【００３７】
ここでは、読み取り画像の劣化の程度を上記の影の幅を判断基準とした許容性判断方法について説明する。詳細には、帯状の影の領域を、画像濃度が所定の基準濃度よりも濃い濃度過多領域として検出し、この濃度過多領域が許容条件を満たすか否かを判断する方法について説明する。
【００３８】
図２に示すように、複写機１０でブック原稿４０を読み取る場合は、読み取るページを開いてブック原稿４０をプラテンガラス３０の上面（読み取り面）に伏せるように載置する。本例のブック原稿４０は左右に開く形態であり、この場合は開き方向（原稿幅方向）をプラテンガラス３０の幅方向に合わせ、綴じ目の方向（原稿高さ方向）をプラテンガラス３０の奥行き方向に向けて、プラテンガラス３０の中央付近に伏せるように載置する。
【００３９】
コピーモードまたはスキャンモードが選択されている場合、複写機１０は操作部１７のスタートボタンの押下操作を受けると原稿の読み取りを行う。詳細には、スキャナ部１８が光源３１を発光させてプラテンガラス３０上のブック原稿４０を照明し、ブック原稿４０からの反射光をエリアセンサ３２で受光してその原稿の画像を二次元で読み取る。
【００４０】
このようにページを開いて読み取りを行うブック原稿４０では、プラテンガラス３０上に伏せて載置するとページ間の境界部分４１（綴じ目部分）が断面略三角形状に浮き上がり、この浮き上がりによってページ間の境界部分４１は照明され難くなる。そして、読み取り画像には、ページ間の境界部分４１と対応する部分に帯状の影が現れる。
【００４１】
図３は、上記のブック原稿４０における読み取り画像５０ａの一例を示している。この読み取り画像５０ａは、ブック原稿４０の押さえ付け力が小さく、綴じ目部分の浮き上がりが大きい場合の画像である。
【００４２】
読み取り画像５０ａには、たとえば、右側ページ５１（右側ページ画像領域）と左側ページ５２（左側ページ画像領域）に文字領域５３、５４（文字列）などが存在している。ページ間の境界部分５５には帯状の影５６ａが存在しており、ここでは、ページ境界付近の文字に影５６ａの側端部分が重なっている。この影５６ａの領域（影領域）を濃度過多領域５７ａとして検出した場合に（影領域＝濃度過多領域）、濃度過多領域５７ａが許容条件を満たすか否かは以下のようにして判断する。
【００４３】
読み取り画像５０ａにおける影５６ａは、ブック原稿４０の綴じ目（ページ間の境界部分４１）に沿って発生する。本例のように、綴じ目がプラテンガラス３０の奥行き方向を向いている場合には（図２参照）、影５６ａは読み取り画像５０ａの高さ方向に沿って帯状などのように発生する（図３参照）。
【００４４】
また、綴じ目部分の浮き上がりは、その幅方向における中央部付近が最も大きくなり、そこから左右の両側へ向けて除々に小さくなり、ページ面がプラテンガラス３０に接触して消滅する。このような浮き上がりによって読み取り画像５０ａに現れた帯状の影５６ａは、幅方向における中央部付近の濃度が最も濃く（高く）なり、そこから左右の両側へ向けて濃度が除々に淡く（低く）なる。原稿の地色が白の場合は、そのまま消滅する。
【００４５】
この影５６ａの領域を、濃度が所定の基準濃度よりも濃い濃度過多領域５７ａとして検出する。本例では、検出範囲を小さくして劣化の許容性判断に係る処理を軽減（簡素化）するために、濃度過多領域５７ａの検出は１箇所で行うようにしている。具体的には、読み取り画像５０ａに対して幅方向（ブック原稿４０の見開き方向）に沿った濃度過多領域検出用のラインＬを設定し、このラインＬ上の画像の濃度（濃淡）に基づいて濃度過多領域５７ａを検出するようにしている。ラインＬの位置は、本例では読み取り画像５０ａの高さ方向における中央付近としている。
【００４６】
図４は、図３に示した読み取り画像５０ａにおけるラインＬでの濃度分布を示すグラフである。本例のグラフでは、横軸をラインＬに沿った領域とし、縦軸を濃度としている。濃度については、濃淡を００ｈ〜ＦＦｈ（「ｈ」は１６進数を示す）の２５６階調で示すと共に、グラフの低位側を濃度の濃い側、グラフの高位側を濃度の淡い側として示している。
【００４７】
図４に示すように、読み取り画像５０ａの原稿端に対応する箇所では、グラフ線に濃度の淡い側（高位側）から濃い側（低位側）へエッジ状に突出する突出形状が現れる。読み取り画像５０ａにおける文字領域５３、５４（原稿内文字領域）に対応する箇所では、ラインＬに沿って濃度の濃い文字部分と濃度の淡い空白部分が繰り返すことにより、グラフ線は上下にエッジ状に折り返すように（濃淡を繰り返すように）推移する。読み取り画像５０ａにおける帯状の影５６ａ（影領域）に対応する箇所では、グラフ線は濃度の濃い側（低位側）へ推移する。
【００４８】
このグラフにおいて、影領域を濃度過多領域として検出（規定）するための所定の基準濃度を設定する。基準濃度は任意の値であり、たとえば、濃度Ｄ０ｈなどに設定する。この基準濃度よりも濃い領域を、影領域に相当する濃度過多領域として検出し、その幅（Ｘ）を所定の閾値（α）と比較して、濃度過多領域が許容条件を満たすか否かを判断する。本例のように、劣化を影とする場合には、劣化の許容条件は、その影の領域である濃度過多領域の幅が閾値よりも小さい条件となる。
【００４９】
図４に示した例では、濃度過多領域の幅Ｘａが閾値αよりも大きいため、読み取り画像５０ａの劣化（影）は許容条件を満たしていないと判断する。
【００５０】
上記の閾値は任意の値である。たとえば、２０〜３０ｍｍの範囲などにおける任意の値に設定する。この閾値は、初期設定による固定値としたり、ユーザが設定変更できたりするようにしてもよい。閾値を設定変更可能とする場合には、数値入力、数値選択、原稿の厚さ選択などによって設定を変更できる構成としてもよい。また、この閾値（許容条件）を設定する設定部の機能は、操作部１７が備えるように構成してもよい。
【００５１】
数値入力の場合には、操作部１７に設けられているテンキーを使用して数値を入力するようにしてもよい。数値選択の場合には、予め設けられた複数種類の数値、たとえば、「２０ｍｍ」、「２５ｍｍ」、「３０ｍｍ」などの中から択一的に選択するようにしてもよい。原稿の厚さ選択の場合には、予め設けられた複数種類の厚さ、たとえば、「薄い」、「普通」、「厚い」などの中から択一的に選択し、その選択された厚さに対応する数値、たとえば、「薄い」に対応する「２０ｍｍ」、「普通」に対応する「２５ｍｍ」、「厚い」に対応する「３０ｍｍ」などが設定されるようにしてもよい。
【００５２】
図５は、図２で説明したブック原稿４０の押さえ付け力を大きくし、綴じ目部分の浮き上がりを小さくした場合の読み取り画像５０ｂの一例を示している。綴じ目部分の浮き上がりが小さくなると、図３との比較からわかるように、浮き上がり部分に対応して読み取り画像５０ｂのページ間の境界部分５５に現れた帯状の影５６ｂ（濃度過多領域５７ｂ）は幅が小さくなる。またここでは、ページ境界付近の文字に影５６ｂが重なっておらず、文字の端部と影５６ｂの間に空白部分が存在している。
【００５３】
図６は、図５に示した読み取り画像５０ｂにおけるラインＬでの濃度分布を示すグラフである。図４との比較からわかるように、影領域として検出された濃度過多領域の幅Ｘｂは小さくなる。この場合は、濃度過多領域の幅Ｘｂが閾値αよりも小さいため、読み取り画像５０ｂの劣化（影）は許容条件を満たしていると判断する。
【００５４】
見開き原稿（ブック原稿）における読み取り画像の劣化の許容性判断は、以上のようにして行う。
【００５５】
（読取動作）
図７は、複写機１０による読取動作の流れを示している。前述したように、ブックスキャンモードでは、プラテンガラス上の見開き原稿を繰り返し読み取り、その読み取った画像の中から劣化が許容条件を満たす画像を選択的に取得する流れとなっている。読み取りの繰り返しは、本例では一定の時間間隔で行うようにしている。この時間間隔は、たとえば、数秒（１〜２秒）間隔などである。読み取り画像の劣化については、ページ間の境界部分に現れる影（濃度過多領域）を対象にしており、その許容性判断は図３〜図６で説明した方法で行うようにしている。
【００５６】
また、繰り返し読み取っている画像は、表示部１６に最新の画像のみを更新しながらモニタ表示するようにしている。ユーザは、このモニタ表示される読み取り画像を見て、その画像に現れている影の大きさなどを確認しながら見開き原稿の押さえ付け方（押付力）を適宜変更できるようになっている。
【００５７】
また、綴じ目部分が非常に開き難い分厚い本などの場合は、強く押さえ付けても影が許容条件を満足しない可能性がある。そのため、繰り返し行う読み取りには制限時間（タイムオーバー）を設けている。タイムオーバーとなった場合には、許容条件（濃度過多領域の幅の閾値）の設定を変更できる構成であれば、その許容条件を広げる設定変更を行って再び読み取りを行うこともできる。また、通常スキャンモードに切り替えて読み取りを行うことも可能である。
【００５８】
以下、複写機１０による読取動作の詳細を説明する。
【００５９】
ユーザが複写機１０の操作部１７を通してコピーモードまたはスキャンモードを選択し、さらに、通常スキャンモードまたはブックスキャンモードを選択すると、ＣＰＵ１１は本動作を開始する（Ｓｔａｒｔ）。通常スキャンモードが選択された場合は（ステップＳ１０１；Ｎｏ）、ＣＰＵ１１はスキャナ部１８による原稿の読み取りを通常の読取処理で行い（ステップＳ１０２）、本動作を終了する（Ｅｎｄ）。
【００６０】
通常の読取処理では、ユーザがプラテンガラス３０上に原稿を載置し、操作部１７のスタートボタンを押下することでスキャナ部１８による原稿の読み取りが行われる。読み取られた原稿の画像は、コピーモードの場合にはプリンタ部２０により記録紙上に形成されて出力される。スキャンモードの場合には記憶部１５（ＨＤＤなど）に保存などされる。
【００６１】
ブックスキャンモードが選択された場合は（ステップＳ１０１；Ｙｅｓ）、ＣＰＵ１１はスキャナ部１８による原稿の読み取りをブック原稿に対応した読取処理で行う。このブックスキャンモードでは、ＣＰＵ１１は、表示部１６に「原稿をセットし、スタートボタンを押して下さい。」などの操作案内を表示する（ステップＳ１０３）。
【００６２】
これを受けてユーザは、図２に示すように、ブック原稿４０などを読み取り対象のページを開いてプラテンガラス３０上に伏せて載置し、操作部１７のスタートボタンを押下する。
【００６３】
ＣＰＵ１１は、スタートボタンの押下を検知すると（ステップＳ１０４）、スキャナ部１８の光源３１を発光させて原稿を照明し、エリアセンサ３２で原稿の画像を読み取り（ステップＳ１０５）、読み取った画像を画像メモリ（ＲＡＭ１４）の一時保存領域に保存する（ステップＳ１０６）。さらに、読み取った画像を表示部１６にモニタ表示する（ステップＳ１０７）。
【００６４】
続いて、ＣＰＵ１１は、読み取った画像のページ間の境界部分に存在している影を濃度過多領域として検出し（ステップＳ１０８）、濃度過多領域の幅が閾値よりも小さいか否かを判断する（ステップＳ１０９）。
【００６５】
濃度過多領域の幅が閾値よりも大きい場合には（ステップＳ１０９；Ｎｏ）、ＣＰＵ１１は、読み取りの開始（スタートボタンの押下検知）から所定時間が経過したか否かを判断する（ステップＳ１１０）。所定時間を経過していない場合には（ステップＳ１１０；Ｎｏ）、ステップＳ１０５へ戻る。ここでＣＰＵ１１は、エリアセンサ３２で原稿の画像を再び読み取り（ステップＳ１０５）、読み取った画像を画像メモリの一時保存領域に上書き保存する（ステップＳ１０６）。そして、ステップＳ１０７以降を同様に繰り返す。
【００６６】
このようにして繰り返される原稿の読み取りにおいて、ユーザは表示部１６にモニタ表示される読み取り画像を見て、その画像に現れている影の大きさを確認することができる。この影が大きい場合は、影の小さい良好な画像を得るために、原稿を強く押さえ付けて影を小さくする必要があることを容易に認識することができ、その対応が取りやすくなる。なお、この画像上に、影の幅の許容範囲を示すガイドラインを表示するようにしてもよい。
【００６７】
また、ステップＳ１０５〜ステップＳ１１０の繰り返しが継続され、読み取りの開始から所定時間を経過した場合には（ステップＳ１１０；Ｙｅｓ（タイムオーバー））、ＣＰＵ１１は、画像を取得できなかったことを表示部１６に表示し（ステップＳ１１１）、本動作を終了する（Ｅｎｄ）。
【００６８】
一方、読み取った画像内の濃度過多領域の幅が閾値よりも小さい場合には（ステップＳ１０９；Ｙｅｓ）、ＣＰＵ１１は、その画像を画像メモリの一時保存領域から取得保存領域に保存し（ステップＳ１１２）、エリアセンサ３２による画像の読み取りを終了する（ステップＳ１１３）。そして、ＣＰＵ１１は、良好な読み取り画像を取得できたことを表示部１６に表示し（ステップＳ１１４）、本動作を終了する（Ｅｎｄ）。
【００６９】
なお、取得保存領域は一時保存領域と同一のメモリでアドレスが異なる領域に確保する他に、別の記憶媒体に確保する構成としてもよい。たとえば、別に設けられた不揮発メモリなどに取得保存領域を確保し、上記の画像を画像メモリの一時保存領域からその不揮発メモリなどの取得保存領域へ転送して保存するようにしてもよい。
【００７０】
このブックスキャンモードで取得された原稿の画像は、通常スキャンモードと同様に、コピーモードではプリンタ部２０により記録紙上に形成されて出力される。スキャンモードでは記憶部１５（ＨＤＤなど）に保存などされる。
【００７１】
このように、本実施形態に係る複写機１０では、綴じ目の開き難い厚い本などを読み取る場合でも、プラテンガラス上に伏せて載置したその厚い本などをユーザが両手で強く押さえ付けながら、劣化の小さい良好な読み取り画像を自動的に取得することができる。たとえば、ページ間の境界部分に現れる影（濃度過多領域）が目立たない見栄えのよい画像や、ページ境界付近の文字などにその影が重なっていない見易い画像を簡単に取得することができる。
【００７２】
また、原稿をエリアセンサ３２によって一時に二次元で読み取ることにより、ラインセンサによる走査読み取りなどに比べて高速読み取りが可能となる。原稿を繰り返し読み取る上では、１回当たりの読取時間が短いので読み取りの繰り返し間隔を短くすることができ、劣化の小さい良好な画像を取得するまでの時間を短縮することができる（画像読取・取得処理時間の短縮）。
【００７３】
また、読み取り画像の劣化の許容条件を設定できる構成においては、ユーザが自分の希望する許容条件（濃度過多領域の幅が閾値）を入力したり、選択したりして任意に設定することができ、利便性が向上する。
【００７４】
（読み取り画像における劣化の許容性判断方法の変形例）
前述した読み取り画像における劣化の許容性判断では、劣化部分である影の１箇所（１本のライン上で検出した濃度過多領域）で許容性を判断する例を説明したが、ここでは、複数箇所で許容性を判断する例を説明する。
【００７５】
プラテンガラス上に伏せて載置した見開き原稿を押さえ付ける場合、特に大きい本や綴じ目部分の浮き上がりが大きい本などを押さえ付ける場合には、押さえ付け方に偏りが出て、読み取り画像に現れる影の幅が一定でないこともある。本例は、このような影の幅（劣化の程度）が場所によって異なるケースに対応したものであり、濃度過多領域の検出箇所を増やすことで許容性判断の精度を高めるようにしたものである。
【００７６】
図８は、図２で説明したブック原稿４０における読み取り画像５０ｃの一例を示している。この読み取り画像５０ｃは、ブック原稿４０を押さえ付ける力に偏りがあり、綴じ目部分の浮き上がりが長さ方向で一定でないためにテーパー状の影５６ｃ（濃度過多領域５７ｃ）が現れている場合の画像である。具体的には、ブック原稿４０の上部側の押さえ付け力が下部側よりも小さいために、影５６ｃの上部側が下部側よりも幅広となっている場合の画像である。
【００７７】
本例では、読み取り画像に現れた影の複数箇所で濃度過多領域を検出するために、濃度過多領域検出用のラインを複数設定する。たとえば、読み取り画像５０ｃの高さ方向における上部付近にラインＬ１、中央付近にラインＬ２、下部付近にラインＬ３を設定する。この３本のライン上（３箇所）でそれぞれ濃度過多領域５７ｃを検出し、全ての箇所で濃度過多領域５７ｃの幅が閾値よりも小さい場合に、読み取り画像の劣化（影）は許容条件を満たしていると判断する。
【００７８】
これにより、劣化の許容性判断の精度が高められ、より良好な読み取り画像を得ることができる。
【００７９】
上述したように、原稿の押さえ付け方に偏りがあると、読み取り画像に現れる影は、通常はテーパー状となる。そのため、濃度過多領域の検出は、読み取り画像の高さ方向における上部付近と下部付近の２箇所で行うようにしてもよい。
【００８０】
ただし、サイズの大きな本などでは、たとえば、中央部分だけを強く押さえ付けると高さ方向に沿って弓なり状に撓み、中央近傍の浮き上がりは小さくなるが上下部分の浮き上がりはさほど小さくなっていないような状態も起こり得る。そのため、劣化の許容性判断においてより高い精度を得るには、本例で説明したように中央付近と、上部および下部付近の少なくとも３箇所で劣化の検出を行うことが好ましい。また、４箇所以上や上下方向の全域で劣化の検出を行うようにしてもよい。
【００８１】
以上、本発明の一実施形態を図面によって説明してきたが、具体的な構成はその実施形態に示したものに限られるものではなく、本発明の要旨を逸脱しない範囲における変更や追加があっても本発明に含まれる。
【００８２】
実施形態では、読み取り画像における劣化の許容性を影（濃度過多領域）の幅に基づいて判断する方法を説明したが、他の方法で判断してもよい。
【００８３】
たとえば、影が文字などに重なっているか否かを検出して劣化の許容性を判断するようにしてもよい。具体的には、読み取り画像内のオブジェクト（文字、線、図形など）におけるページ境界側（左右の各ページについて、最も見開き中央部に近いオブジェクトの見開き中央側）のエッジの周辺（背景）の濃度を検出し、この検出濃度が所定の許容濃度よりも濃い場合は劣化が許容条件を満たしていないと判断し（影が文字に重なっている状態）、検出濃度が所定の許容濃度よりも淡い場合は劣化が許容条件を満たしていると判断する（影が文字に重なっていない状態）などしてもよい。すなわち、読み取り画像内のオブジェクトにおけるページ境界側のエッジの周辺の濃度に基づいて劣化の許容性を判断するようにしてもよい。
【００８４】
読み取り画像の劣化については、読み取り画像におけるページ間の境界部分に発生する影を対象とした場合で説明したが、画像縁形状の歪みやページ境界付近の文字の歪みなどを対象にしてもよい。具体的には、画像縁形状／文字の歪み量を検出し、この検出歪み量が所定の許容歪み量よりも大きい場合は劣化が許容条件を満たしていないと判断し、検出歪み量が所定の許容歪み量よりも小さい場合は劣化が許容条件を満たしていると判断するなどしてもよい。すなわち、画像縁形状／文字の歪みに基づいて劣化の許容性を判断するようにしてもよい。
【００８５】
原稿の読取部については、エリアセンサを用いた非走査型の構成を例に説明したが、ラインセンサなどを用いた走査型の構成としてもよい。この読取部は、許容条件を満たすまで繰り返し画像を読み取るように構成されればよい。
【００８６】
また、実施形態では劣化の許容条件を満たした画像を検出した時点でその画像を取得し、読み取りを終了するようにしているが、たとえば、検出後も一定時間または所定回数読み取りを繰り返して、最良の画像を取得するようにしてもよい。
【００８７】
ブックスキャンモードにおいては、繰り返し読み取っている原稿の画像の劣化が許容条件を満たしているか否かをユーザが確認できるようにするために、読み取った画像を表示部１６にモニタ表示する例を説明したが、メッセージ表示や音声出力による報知でその確認が行える構成としてもよい。
【００８８】
また本発明は、実施形態で説明した複写機に限らず、スキャナ機や複合機などの他の画像読取装置にも適用可能である。
【符号の説明】
【００８９】
１０…複写機
１１…ＣＰＵ
１２…バス
１３…ＲＯＭ
１４…ＲＡＭ
１５…記憶部
１６…表示部
１７…操作部
１８…スキャナ部
１９…画像処理部
２０…プリンタ部
３０…プラテンガラス
３１…光源
３２…エリアセンサ
４０…ブック原稿
４１…ページ間の境界部分
５０ａ、５０ｂ、５０ｃ…読み取り画像
５１…右側ページ（右側ページ画像領域）
５２…左側ページ（左側ページ画像領域）
５３、５４…文字領域（文字列）
５５…ページ間の境界部分
５６ａ…影（帯状の影）
５６ｂ…影（帯状の影）
５６ｃ…影（テーパー状の影）
５７ａ、５７ｂ、５７ｃ…濃度過多領域
Ｌ…ライン（濃度過多領域検出用のライン）
Ｌ１、Ｌ２、Ｌ３…ライン（濃度過多領域検出用のライン）
Ｘａ、Ｘｂ…幅（濃度過多領域の幅）
α…閾値
【図１】
2010268245.tif 000003
【図２】
2010268245.tif 000004
【図３】
2010268245.tif 000005
【図４】
2010268245.tif 000006
【図５】
2010268245.tif 000007
【図６】
2010268245.tif 000008
【図７】
2010268245.tif 000009
【図８】
2010268245.tif 000010